(57)【要約】【課題】バインダー式の手帳に綴ることができるとともに、異なる化粧料の入れ替えや交換が容易な化粧用具を提供すること。【解決手段】本考案に係る化粧用具は、複数の収容凹部６を有する本体１と、この収容凹部６に着脱自在に形成された化粧ケース２とから構成され、上記化粧ケース２には鏡や化粧品などを収容するとともに、上記本体１の一方の側部には、複数の孔５が形成され、手帳等の綴じ込み金具３に着脱できるようにし、収容凹部６の底面略中央部には指先が挿通できる程度の大きさの貫通孔７を形成し、収容凹部６に収容した化粧ケース２を本体の裏側から押し上げられるようにした。【選択図】図１
0003112134.tif 000002
【実用新案登録請求の範囲】
【請求項１】
以下の要件を備えることを特徴とする化粧用具。
（イ）上記化粧用具は複数の収容凹部を有する本体と、鏡や化粧料などが収容された化粧ケースとで構成され、該化粧ケースは上記収容凹部に着脱自在に形成されていること
（ロ）上記上記収容凹部には上記化粧ケースが離脱しないように固定する固定手段を備えたこと
（ハ）上記本体は方形の板状に形成されるとともに、一方の側部には、複数の孔が所定間隔をおいて形成され、手帳等の綴じ込み金具に着脱できるように構成されていること
【請求項２】
前記収容凹部の底面の略中央部に、指先が挿通できる程度の大きさの貫通孔を形成した、請求項１記載の化粧用具。
【考案の詳細な説明】
【技術分野】
【０００１】
本考案は、化粧用具、詳しくはバインダー式の手帳に取り付けて持ち歩くことができる化粧用具に関するものである。
【背景技術】
【０００２】
持ち運び便利な携帯用化粧容器としてバインダー式の手帳に綴ることができる携帯用化粧容器が提案されている（例えば、特許文献１）。この携帯用化粧容器は、シート状樹脂からなる身部に蓋部を一体成形したものであって、上記身部には化粧料を収容する化粧料収容部と前記身部の端部に沿って複数明けられた差込孔とを設け、この差込孔に綴じ込み金具を挿通させることにより、手帳に綴ることができるようにしたものである。
【特許文献１】特開２００１−２３６号公報
【考案の開示】
【考案が解決しようとする課題】
【０００３】
本考案が解決しようとする問題点は、上述の携帯用化粧容器は、身部をレフィール状に形成し、この身部に化粧料容器を形成し、この化粧料容器の蓋である蓋部を身部に一体に成形したものである。化粧容器を手帳に綴って持ち運びができるが、異なる化粧料を持ち運ぶときは、手帳の金具から身部を取り外し、異なる化粧料が収容された化粧容器が設けられた身部を交換する必要があり、その作業は煩雑になる点であった。
【０００４】
本考案は、上記問題点を解決し、バインダー式の手帳に綴ることができるとともに、異なる化粧料の交換が容易な化粧用具を提供することを課題とする。
【課題を解決するための手段】
【０００５】
前記課題を解決するために本考案に係る化粧用具は、以下の要件を備えることを特徴とする。
（イ）上記化粧用具は複数の収容凹部を有する本体と、鏡や化粧料などが収容された化粧ケースとで構成され、該化粧ケースは上記収容凹部に着脱自在に形成されていること
（ロ）上記上記収容凹部には上記化粧ケースが離脱しないように固定する固定手段を備えたこと
（ハ）上記本体は方形の板状に形成されるとともに、一方の側部には、複数の孔が所定間隔をおいて形成され、手帳等の綴じ込み金具に着脱できるように構成されていること
また、前記収容凹部の底面の略中央部には、指先が挿通できる程度の大きさの貫通孔が形成され、収容凹部に収容されている化粧ケースを本体の裏側から指先で押し上げて取り外せるようにすることが好ましい。
【考案の効果】
【０００６】
請求項１の考案によれば、バインダー式の手帳に本体を取り付け、本体に形成された収容凹部に化粧ケースを固定することができるので、手帳を持ち歩く際に別途化粧道具を持ち歩かなくても済み、とっさの化粧直しに対応でき、使い勝手に優れた化粧用具を提供することができる。
【０００７】
請求項２の考案によれば、収容凹部の底面に指先が差し込める程度の大きさの貫通孔を設けたので、本体の裏側から貫通孔に指先を差し込で化粧ケースを押し上げることで本体に取り付けた化粧ケースを簡単に取り外すことができる。
【考案を実施するための最良の形態】
【０００８】
本考案に係る化粧用具は、複数の収容凹部を有する本体と、この収容凹部に着脱自在に形成された化粧ケースとから構成され、上記化粧ケースには鏡や化粧品などを収容するとともに、上記本体の一方の側部には、複数の孔が形成され、手帳等のレフィール金具に着脱できるように構成した。
【実施例１】
【０００９】
図１は、本考案に係る化粧用具の一例を示し、この化粧用具は手帳に着脱可能なリフィール状の本体１と、この本体１に着脱可能な化粧ケース２とから構成されているものである。
【００１０】
本体１は樹脂（例えば、ＡＢＳ）で長方形の板状に形成され、長手方向の一方の側部には、図２に示すように、綴じ込み金具３でバインダー式の手帳４に取り付けることができるように複数の孔５が所定間隔をおいて形成され、前面には化粧ケースを着脱可能に収容する収容凹部（本実施例では雲形に形成）６が形成されている。
【００１１】
この収容凹部６の底面中央には指先の先端が差し込める程度の大きさの貫通孔（本実施例では星型に形成）７が形成され、収容凹部６の縁部には複数の（本実施例では３個に設定）の固定手段である係止凸部８が形成されている。
【００１２】
上記係止凸部８は収容凹部６に収容した化粧ケース２が収容凹部６から離脱しないように固定するものであり、上記貫通孔７は収容凹部６に収容した化粧ケース２を取り外す際に使用するもので、本体１の裏側から貫通孔７に指を差し込んで化粧ケース２の裏側を押圧することにより係止凸部８による化粧ケース２の固定を解除することができるようになっている。
【００１３】
化粧ケース２はアイシャドー等の化粧料やミラー等の化粧道具が収容されているもので、上述の収容凹部６と外形が相似形に形成され、外周面には係止凹部１０が形成されている。この係止凹部１０は化粧ケース２を収容凹部６に収容した際、係止凸部８に係止され、化粧ケース２が収容凹部６から外れないように固定するためのものである。さらに、この化粧ケース２はヒンジ１１を中心に蓋部１２が開閉でき、不使用時には蓋部１２を閉じて、化粧料で周りを汚さないようにし、使用時には蓋部１２を開いて内部の化粧料を使用することができるようになっている。
【００１４】
上記構成の化粧用具によれば、先ず本体１の孔５に綴じ込み金具３を通してバインダー式の手帳４にセットする。次に、外出先で使用したい化粧料を収容した化粧ケース２を選択し、選択した化粧ケース２を本体１の収容凹部６にセットする（図３（ａ）参照）。セットした化粧ケース２を上から押圧して収容凹部６に押し込むと、係止凸部８に係止凹部１０が係止され、化粧ケース２を収容凹部６に固定することができる。
【００１５】
この状態で、化粧ケース２の蓋部１２を開閉しても化粧ケース２は本体１（収容凹部６）から離脱することはない。
【００１６】
化粧料を使用したい場合は、化粧ケース２が本体１に固定された状態で、蓋部１２を開いて使用してもよいし、図３（ｂ）に示すように、本体１に形成された貫通孔７から、指先を差し込んで化粧ケース２を下から押圧し、収容凹部６から押し出して、収容凹部６から取り出して使用してもよい。
【００１７】
また、化粧料を変えたい場合は、異なる化粧料が収容された化粧ケース２と入れ替えればよい。このときも上述したように、交換したい化粧ケース２を貫通孔７から指先を差し込んで押し上げるようにして収容凹部６から取り出し、新たな化粧料の収容された化粧ケース２を収容凹部６にセットすればよい。
【００１８】
上述の化粧用具によれば、リフィール状の本体１をバインダー式の手帳４に取り付けることができ、本体に１は化粧ケース２を収容する収容凹部６が形成され、この収容凹部６には収容した化粧ケースを固定する固定手段を設けたので、一旦収容凹部６に収容した化粧ケース２は簡単に離脱しないので、手帳を持ち歩く際や、使用する際に手帳から化粧ケースが脱落するようなことがない。しかも、手帳を持ち歩くだけで最低限の化粧道具を持ち運べることになり、化粧道具を入れたバッグを持ち歩くことがなくても簡単な化粧直しが何時、何処ででもできるので、使い勝手に優れた化粧用具を提供することができる。
【図面の簡単な説明】
【００１９】
【図１】本考案の化粧用具の構成の一例を示す斜視図
【図２】上記化粧用具の使用態様を説明する斜視図
【図３】（ａ）（ｂ）は本体に化粧ケースを取り付ける状態及び取り外す状態の説明図
【符号の説明】
【００２０】
１    本体
２    化粧ケース
３    綴じ込み金具
４    手帳
５    孔
６    収容凹部
７    貫通孔
８    係止手段（係止凸部）
【図１】
0003112134.tif 000003
【図２】
0003112134.tif 000004
【図３】
0003112134.tif 000005